(57)【要約】【課題】もぎり易いミシン目付きの発行媒体も同一の端末で発行でき汎用性に優れた端末を提供する。【解決手段】媒体を切断する切断部を有し、切断部において、媒体を上位より指示された任意の長さに切断して発行媒体を発行する媒体処理装置において、切断部に、媒体を切断する第１の刃と、媒体の幅方向の一部を残し切断する第２の刃とを設け、第１の刃と第２の刃の刃先の位置を切断方向に変えた状態で両者を一体にした二枚刃を構成し、この二枚刃の移動量を制御して、媒体の完全な切断と幅方向の一部を残す切断を選択的に行う。【選択図】        図１７
2010052133.tif 000002
【特許請求の範囲】
【請求項１】
媒体を切断する切断部を有し、前記切断部において、媒体を上位より指示された任意の長さに切断して発行媒体を発行する媒体処理装置において、
前記切断部に、媒体を切断する第１の刃と、媒体の幅方向の一部を残し切断する第２の刃とを設け、
前記第１の刃と、前記第２の刃の刃先の位置を切断方向に変えた状態で両者を一体にした二枚刃を構成し、この二枚刃の移動量を制御して、媒体の完全な切断と幅方向の一部を残す切断を選択的に行うことを特徴とする媒体処理装置。
【請求項２】
媒体を切断する切断部を有し、前記切断部において、媒体を上位より指示された任意の長さに切断して発行媒体を発行する媒体処理装置において、
前記切断部に、媒体を切断する第１の刃と、媒体の幅方向の一部を残し切断する第２の刃とを設け、
前記第１の刃と第２の刃を切断方向に交互に段差を設けて一体成形して一体刃とし、この一体刃の移動量を制御して、媒体の完全な切断と幅方向の一部を残す切断を選択的に行うことを特徴とする媒体処理装置。
【発明の詳細な説明】
【技術分野】
【０００１】
本発明は、例えば、ロール状に収納されている媒体を任意の長さに切断し、発行処理をする装置の、集積性能の信頼性を向上させる媒体処理装置に関するものである。
【背景技術】
【０００２】
従来の媒体処理装置は一般に、図２１、図２２に示す構成であった。
装置１は、媒体収納部２、印字部４、媒体切断部７、媒体集積部８から構成される。
また、印字部４は、プラテンローラ５、サーマルヘッド６で構成され、３は媒体である感熱ロール紙、９は排出ローラである。装置１の設置方向は、横置きであり、図２２に示すような設置状況である。
【０００３】
発行指示を受けた図示せぬ制御部１０は、媒体３が収納された収納部２から媒体３を印字部４に搬送する。発行指示通りの印字をサーマルヘッド６にエネルギーを印加することにより、媒体３が発色する。その後、媒体切断部７に搬送され指定された長さだけの媒体３に切断する。このとき、媒体３を切断する長さは、発行するものによって数種類の長さに設定できる。
【０００４】
切断された媒体３は、排出ローラ９により搬送され、媒体集積部８に集積される。次に発行された媒体３は、前の媒体３に重なり、媒体集積部８は数枚集積が可能である。１１は媒体集積部８に集積された発行媒体を示す。
【発明の概要】
【発明が解決しようとする課題】
【０００５】
しかしながら、上記構成の装置では、長さの違う媒体を媒体集積部に集積させるとき、媒体集積部に集積された媒体の後端に次の媒体の先端が突き当たり、ジャムが発生するなどの問題があった。
また、例えば媒体処理装置で発行した券を入場券として使用する場合、顧客が入場する際に係員が顧客の入場券を一旦受け取り、もぎって半券を顧客に返却するのが一般的であるが、係員が入場券を切りにくく、操作性が悪いという問題があった。
【課題を解決するための手段】
【０００６】
本発明は、媒体を切断する切断部を有し、前記切断部において、媒体を上位より指示された任意の長さに切断して発行媒体を発行する媒体処理装置において、前記切断部に、媒体を切断する第１の刃と、媒体の幅方向の一部を残し切断する第２の刃とを設け、前記第１の刃と、前記第２の刃の刃先の位置を切断方向に変えた状態で両者を一体にした二枚刃を構成し、この二枚刃の移動量を制御して、媒体の完全な切断と幅方向の一部を残す切断を選択的に行うことを特徴とする。
【発明の効果】
【０００７】
これにより、本発明は、ミシン目付きの発行媒体も同一の端末で発行でき汎用性に優れた端末を小型省スペースで提供できるという効果が得られる。
【図面の簡単な説明】
【０００８】
【図１】第１実施の形態例を示す平面図
【図２】第１実施の形態例を示す側面図
【図３】第１実施の形態例の媒体切断部の詳細図
【図４】第１実施の形態例の媒体切断部の詳細図
【図５】第２実施の形態例の媒体切断部の詳細図
【図６】第２実施の形態例の媒体切断部の詳細図
【図７】第３実施の形態例の媒体切断部の詳細図
【図８】第３実施の形態例の媒体切断部の詳細図
【図９】第４実施の形態例の媒体切断部の詳細図
【図１０】第４実施の形態例の媒体切断部の詳細図
【図１１】第５実施の形態例を示す平面図
【図１２】第５実施の形態例を示す側面図
【図１３】第５実施の形態例の媒体切断部の詳細図
【図１４】切り込みを有する媒体を示す説明図
【図１５】第６実施の形態例を示す平面図
【図１６】第６実施の形態例を示す側面図
【図１７】第６実施の形態例の媒体切断部の詳細図
【図１８】第７実施の形態例を示す平面図
【図１９】第７実施の形態例を示す側面図
【図２０】第７実施の形態例の媒体切断部の詳細図
【図２１】従来例の平面図
【図２２】従来例の側面図
【発明を実施するための形態】
【０００９】
以下に本発明の実施の形態例を図面を用いて説明する。
第１実施の形態例
図１は第１実施の形態例を示す平面図、図２は同側面図、図３および図４は同実施の形態例の媒体切断部の詳細図である。
図１および図２において、装置１０１は、媒体収納部１０２、印字部１０４、媒体切断部１０７、媒体集積部１０８から構成される。また、印字部１０４は、プラテンローラ１０５、サーマルヘッド１０６で構成され、１０３は媒体である感熱ロール紙、１０９は排出ローラである。装置１０１の設置方向は、横置きであり図２のような設置状況である。
【００１０】
また、図３および図４において、媒体切断部１０７の切断機構は、刃を往復運動させて媒体１０３を切断させる方式であり、一往復で切断完了する。１１１は媒体切断部１０７の刃についている突起である。ここで、印字部１０４と排出ローラ１０９との駆動は分かれていて、それぞれ独立して動作する。
発行指示を受けた図示せぬ制御部１１０は、媒体１０３が収納された収納部１０２から媒体１０３を印字部１０４に搬送する。発行指示通りの印字をサーマルヘッド１０６にエネルギーを印加することにより、媒体１０３が発色する。
【００１１】
その後、指定された長さだけ媒体切断部１０７に搬送され（図３）媒体１０３を切断する。このとき、媒体１０３を切断する長さは、発行するものによってあらかじめ定められた範囲内の数種類の長さに任意に設定できる。
切断された発行媒体１０３の後端は、媒体切断部１０７の刃についた突起１１１によって持ち上げられる（図４）。その状態で発行媒体１０３は保持される。
【００１２】
次の発行指示によって、媒体収納部１０２から媒体１０３は印字部１０４まで搬送される。発行指示通りの印字をしたのち、印字部側の駆動を入れ指定長さだけ媒体切断部１０７に搬送される。このとき、前の発行媒体１０３は、媒体切断部１０７の位置で排出ローラ１０９に挟まれ保持され、さらに、突起１１１により発行媒体１０３の後端は少し持ち上げられているため、次の発行媒体１０３の先端は、前の発行媒体１０３の後端が持ち上けられた部分に入り込む。その後、前の発行媒体１０３を媒体集積都１０８に集積するために、印字部側の駆動と排出ローラ側の駆動を同時に入れ、前の発行媒体１０３と次の発行媒体１０３とが一部重なった状態で搬送する。
【００１３】
次の発行媒体１０３の切断長さだけ搬送させた後、印字部側の駆動と排出ローラ側の駆動を停止させる。このとき、前の発行媒体１０３は排出ローラ１０９によって搬送されているため、媒体集積部１０８に完全に集積される。
次の発行指示かない場合は現在排出ローラ１０９に挟まれた発行媒体１０３は、排出ローラ側の駆動を入れることによって媒体集積部１０８に集積される。
【００１４】
以上のように、第１実施の形態例によれば、媒体切断部の刃に突起をつけたことにより、連続発行の際にもジャムの発生しない安定した発行媒体の集積が可能になる。
また、発行処理の順序を変えることなく一定の順番で集積できるため、媒体処理装置のオペレータが発行処理の正常処理確認のため順番を並べ替える必要がなく、操作性に優れた端末を提供できる。
【００１５】
第２実施の形態例
図５および図６は第２実施の形態例を示す媒体切断部詳細図である。
第２実施の形態例の装置構成は、図１および図２に示した第１実施の形態例のものと同じである。図５および図６において、２１１は媒体ガイド、２１２は媒体ガイド２１１に設けた突起を示す。突起２１２は、媒体２０３の搬送方向からは、ジャムしないような滑らかに隆起した形状となっている。
【００１６】
動作は、印字までは、第１実施の形態例と同じである。印字後、指定された長さだけ媒体切断部２０７に搬送され（図５）媒体２０３を切断する。このとき、媒体２０３を切断する長さは、発行するものによって第１実施の形態例と同様に数種類の長さに設定できる。切断された発行媒体２０３の後端は、突起２１２によって持ち上げられる（図６）。その状態で発行媒体２０３は保持される。
【００１７】
次の発行指示によって、媒体収納部２０２から媒体２０３は印字部２０４まで搬送される。発行指示に従って印字をしたのち、印字部側の駆動を入れ指定長さだけ媒体切断部２０７に搬送される。このとき前の発行媒体２０３は、媒体切断部２０７の位置で排出ローラ２０９に挟まれ保持され、さらに、突起２１２により発行媒体２０３の後端は少し持ち上げられているため、次の発行媒体２０３の先端は、前の発行媒体２０３の後端が持ち上げられた部分に入り込む。
【００１８】
その後、前の発行媒体２０３を媒体集積部２０８に集積するために、印字部側の駆動と排出ローラ側の駆動を同時に入れ、前の発行媒体２０３と次の発行媒体２０３とが一部重なった状態で搬送する。
次の発行媒体２０３の切断長さだけ搬送させた後、印字部側の駆動と排出ローラ側の駆動を停止させる。このとき、前の発行媒体２０３は排出ローラ２０９によって搬送されているため、媒体集積部２０８に完全に集積される。
【００１９】
次の発行指示がない場合は現在排出ローラ２０９に挟まれた発行媒体２０３は、排出ローラ側の駆動を入れることによって媒体集積部２０８に集積される。
以上のように、第２実施の形態例によれば、媒体搬送方向に対し媒体切断部の直後の媒体ガイドに突起を設けたことにより、連続発行の際にもジャムの発生しない安定した発行媒体の集積が可能になる。
【００２０】
また、発行処理の順序を変えることなく一定の順番で集積できるため、媒体処理装置のオペレータが発行処理の正常処理確認のため順番を並べ替える必要がなく、操作性に優れた端末を提供できる。
第３実施の形態例
図７および図８は第３実施の形態例を示す媒体切断部詳細図である。
【００２１】
第３実施の形態例の装置構成は、図１および図２に示した第１実施の形態例と同じである。
図７および図８において、３１１は媒体ガイド、３１２は媒体ガイド３１１に取り付けられた媒体押し板を示す。媒体押し板３１２は、媒体３０３の搬送方向からは、ジャムしないような滑らかな形状で、かつ媒体が搬送されてきた際には媒体の仮想の搬送ラインから待避する程度（矢印（１）の方向）の押し圧となっている。
【００２２】
動作は、印字までは、第１実施の形態例と同じである。印字後、指定された長さだけ媒体切断部３０７に搬送され（図７）媒体３０３を切断する。このとき、媒体３０３を切断する長さは、第１実施の形態例と同様に発行するものによって数種類の長さに設定できる。
切断された発行媒体３０３の後端は、媒体押し板３１２が待避位置から仮想の媒体搬送ラインに戻ることによって（矢印（２）の方向）持ち上げられる（図８）。その状態で発行媒体３０３は保持される。
【００２３】
次の発行指示によって、媒体収納部３０２から媒体３０３は印字部３０４まで搬送される。発行指示通りの印字をしたのち、印字部側の駆動を入れ指定長さだけ媒体切断部３０７に搬送される。このとき、前の発行媒体３０３は、媒体切断部３０７の位置で排出ローラ３０９に挟まれ保持され、さらに、媒体押し板３１２により発行媒体３０３の後端は少し持ち上げられているため、次の発行媒体３０３の先端は、前の発行媒体３０３の後端が持ち上げられた部分に入り込む。その後、前の発行媒体３０３を媒体集積部３０８に集積するために、印字部側の駆動と排出ローラ側の駆動を同時に入れ、前の発行媒体３０３と次の発行媒体３０３とが一部重なった状態で搬送する。
【００２４】
次の発行媒体３０３の切断長さだけ搬送させた後、印字部側の駆動と排出ローラ側の駆動を停止させる。このとき、前の発行媒体３０３は排出ローラ３０９によって搬送されているため、媒体集積部３０８に完全に集積される。
次の発行指示がない場合は現在排出ローラ３０９に挟まれた発行媒体３０３は、排出ローラ側の駆動を入れることによって媒体集積部３０８に集積される。
【００２５】
以上のように、第３実施の形態例によれば、媒体ガイドに媒体押し板をつけたことにより、連続発行の際にもジャムの発生しない安定した発行媒体の集積が可能になる。
また、発行処理の順序を変えることなく一定の順番で集積できるため、媒体処理装置のオペレータが発行処理の正常処理確認のため順番を並べ替える必要がなく、操作性に優れた端末を提供できる。
【００２６】
第４実施の形態例
図９および図１０は第４実施の形態例を示す媒体切断部詳細図である。
第４実施の形態例の装置構成は、図１および図２に示した第１実施の形態例と同じである。
図９および図１０において、４１１は媒体ガイド、４１２は図示せぬアクチュエータ（ソレノイド、モータ等）４１３によって媒体ガイド４１１より突出したり媒体ガイドより引っ込んだりする突起を示す。
【００２７】
動作は、印字までは、第１実施の形態例と同じである。印字後、指定された長さだけ媒体切断部４０７に搬送され（図９）媒体４０３を切断する。このとき、媒体４０３を切断する長さは、第１実施の形態例と同様に発行するものによって数種類の長さに設定できる。
切断された発行媒体４０３の後端は、図示せぬアクチュエータ（ソレノイド、モータ等）４１３を動作させる事により連動する突起４１２によって持ち上げられる（図１０）。その状態で発行媒体４０３は保持される。
【００２８】
次の発行指示によって、媒体収納部４０２から媒体４０３は印字部４０４まで搬送される。発行指示通りの印字をしたのち、印字部側の駆動を入れ指定長さだけ媒体切断部４０７に搬送される。このとき、前の発行媒体４０３は、媒体切断部４０７の位置で排出ローラ４０９に挟まれ保持され、さらに、突起４１２により発行媒体４０３の後端は少し持ち上げられているため、次の発行媒体４０３の先端は、前の発行媒体４０３の後端が持ち上げられた部分に入り込む。その後、図示せぬアクチュエータ（ソレノイド、モータ等）４１３をリセットし突起４１２を媒体ガイド４１１から引っ込め、前の発行媒体４０３を媒体集積部４０８に集積するために、印字部側の駆動と排出ローラ側の駆動を同時に入れ、前の発行媒体４０３と次の発行媒体４０３とが一部重なった状態で搬送する。
【００２９】
次の発行媒体４０３の切断長さだけ搬送させた後、印字部側の駆動と排出ローラ側の駆動を停止させる。このとき、前の発行媒体４０３は排出ローラ４０９によって搬送されているため、媒体集積部４０８に完全に集積される。
次の発行指示がない場合は現在排出ローラ４０９に挟まれた発行媒体４０３は、排出ローラ側の駆動を入れることによって媒体集積部４０８に集積される。
【００３０】
以上のように、第４実施の形態例によれば、媒体ガイドに上位からの指示に従って任意に可動する突起をつけたことにより、連続発行の際にもジャムの発生しない安定した発行媒体の集積が可能になる。
また、発行処理の順序を変えることなく一定の順番で集積できるため、媒体処理装置のオペレータが発行処理の正常処理確認のため順番を並べ替える必要がなく、繰作性に優れた端末を提供できる。
【００３１】
第５実施の形態例
図１１は第５実施の形態例を示す平面図, 図１２は同側面図、図１３は媒体切断部の詳細図、図１４は切り込みを有する媒体を示す斜視図である。
図１１および図１２において、装置１０１は、媒体収納部１０２、印字部１０４、媒体切断部１０７、媒体集積部１０８から構成される。また、印字部１０４は、プラテンローラ１０５、サーマルヘッド１０６で構成され、１０３は媒体である感熱ロール紙、１０９は排出ローラである。装置１０１の設置方向は、横置きであり図１２のような設置状況と同じである。
【００３２】
第１実施の形態例と異なるのは媒体切断部１０７の媒体搬送方向の手前に、媒体の幅方向の一部を残し切断する第２の切断部として、もう１つの媒体切断部５０７を設けた点である。この媒体切断部５０７は図３における媒体切断部１０７と同様に刃を往復運動させる機構であり、１往復で切断完了となるが、切り込み量は図１３に示す刃丈Ｇの半分程度に設定されている。
【００３３】
本実施の形態例の場合、媒体切断部５０７の刃は一定間隔で抜けており、ここで切断することで図１４に示す如くミシン目状の切り込み５２１が媒体１０３に入り、その後所定の距離搬送後に媒体切断部１０７で媒体１０３を切断することで発行媒体５２０となる。
ここでも同様に印字部１０４と排出ローラ１０９との駆動は分かれていて、それぞれ独立して動作する。
【００３４】
発行指示を受けた図示せぬ制御部１１０は、媒体１０３が収納された収納部１０２から媒体１０３を印字部１０４に搬送する。発行指示に従った内容の印字をサーマルヘッド１０６にエネルギーを印加することにより、媒体１０３上に発色させる。
その後、指定された長さだけ媒体切断部５０７へ搬送し、切り込み５２１をいれ、更に指定された長さまで媒体切断部１０７に搬送し、媒体１０３を切断する。このとき、媒体１０３に切れ込みを入れる長さや切断する長さは発行するものによってあらかじめ定められた範囲内の数種類の長さに任意に設定できる。
【００３５】
以下の動作は他の実施の形態例と同様である。
以上のように、第５実施の形態例によれば、媒体切断部の手前に刃に抜けのある別の切断部を設けたことにより、ミシン目付きの発行媒体も同一の端末で発行でき汎用性に優れた端末を提供できる。
また、第 1〜４実施の形態例のいずれかと組み合わせることにより、連続発行の際にもジャムの発生しない安定した発行媒体の集積が可能になる。
【００３６】
さらに発行処理の順序を変えることなく一定の順番で集積できるため、媒体処理装置のオペレータが発行処理の正常処理確認のため順番を並べ替える必要がなく、操作性に優れた端末を提供できる。
本実施例では媒体搬送方向で媒体切断部１０７の手前に第２の媒体切断部５０７を設けたが、図１１に示す排出ローラ１０９と媒体切断部１０７の間に設けてもよい。
【００３７】
第６実施の形態例
図１５は第６実施の形態例を示す平面図, 図１６は同側面図、図１７は媒体切断部の詳細図である。
第６実施の形態例は基本的には第１実施の形態例と同じ構成であるが、第５実施の形態例の媒体切断部１０７と媒体切断部５０７の代わりにこれらを一体化した媒体切断部６０７が設けられている。
【００３８】
すなわち、媒体切断部６０７は、媒体の切断刃である刃６０７Ｇと、これに一体に設置された媒体の一部を残して切断する第２の刃である刃６０７ｇとで構成された二枚刃である。
更にこれら二枚の刃は媒体への切断方向で刃丈Ｇ＝２×ｇ程度ずらして組み合わせてある。これは刃を一体で刃先の位置をずらして構成するよりも、製造上の刃先の精度が各々別個に製造した後に一体化させた方が、より鋭く加工できるためである。
【００３９】
図１５および図１６において、装置１０１は、媒体収納部１０２、印字部１０４、媒体切断部６０７、媒体集積部１０８から構成される。また、印字部１０４はプラテンローラ１０５、サーマルヘッド１０６で構成され、１０３は媒体である感熱ロール紙、１０９は排出ローラである。装置１０１の設置方向は、横置きであり図１６のような設置状況と同じである。
【００４０】
第５実施の形態例と異なるのは媒体切断部６０７を駆動するストロークを二段階にしたことである。図示せぬ第１のソレノイドを駆動することで切断部の刃先は１／２ｇ程度媒体１０３に食い込み、ミシン目状に切断し、図示せぬ第２のソレノイドを駆動することで切断部の刃先は１．５倍のｇ程度媒体１０３に食い込み、媒体１０３を完全に切断する。また、媒体切断部６０７の駆動は、ソレノイド以外のアクチュエータ（モータ等）でも同様の動作を実現できる。
【００４１】
ここでも同様に印字部１０４と排出ローラ１０９との駆動は分かれていて、それぞれ独立して動作する。
発行指示を受けた図示せぬ制御部１１０は、媒体１０３が収納された収納部１０２から媒体１０３を印字部１０４に搬送する。発行指示に従った内容の印字をサーマルヘッド１０６にエネルギーを印加することにより、媒体１０３上に発色させる。
【００４２】
その後、指定された長さだけ先ず媒体切断部６０７へ搬送し、図示せぬ第１のソレノイドを駆動することで図１４に示す切り込み５２１をいれ、更に指定された長さまで媒体切断部６０７に搬送し、図示せぬ第２のソレノイドを駆動することで媒体１０３を切断する。このとき、媒体１０３に切れ込みを入れる長さや切断する長さは発行するものによってあらかじめ定められた範囲内の数種類の長さに任意に設定できる。
【００４３】
以下の動作は他の実施例と同様である。
以上のように、第６実施の形態例によれば、通常の切断部とミシン目切断部を１体にすることで、ミシン目付きの発行媒体も同一の端末で発行でき汎用性に優れた端末を小型省スペースで提供できる。
また、第 1〜４実施の形態例のいずれかと組み合わせることにより、連続発行の際にもジャムの発生しない安定した発行媒体の集積が可能になる。
【００４４】
さらに発行処理の順序を変えることなく一定の順番で集積できるため、媒体処理装置のオペレータが発行処理の正常処理確認のため順番を並べ替える必要がなく、操作性に優れた端末を提供できる。
第７実施の形態例
図１８は第７実施の形態例を示す平面図, 図１９は同側面図、図２０は媒体切断部の詳細図である。
【００４５】
第７の実施例は基本的には第１実施の形態例と同じ構成であるが、第６実施の形態例の媒体切断部６０７の代わりに媒体切断部７０７が設けられている。すなわち媒体切断部７０７は、媒体を切断する切断刃と、媒体の一部を残し切断する第２の刃を一体成形した一枚刃である。これら二段の刃は媒体への切断方向で刃丈Ｇ＝２×ｇ程度交互にずらして一枚の刃で構成されている。これは刃を一体製造して装置のコストを下げた実施の形態例である。媒体の厚さは様々であるが、厚紙の場合は、第６実施の形態例のように二枚に分けた方が有利である。しかし、７０ｋｇ紙程度の薄紙であれば、本実施の形態例で示す一体刃で、性能上十分である。
【００４６】
図１８および図１９において、装置１０１は、媒体収納部１０２、印字部１０４、媒体切断部６０７、媒体集積部１０８から構成される。また、印字部１０４はプラテンローラ１０５、サーマルヘッド１０６で構成され、１０３は媒体である感熱ロール紙、１０９は排出ローラである。装置１０１の設置方向は、横置きであり図１９のような設置状況と同じである。
【００４７】
第７実施の形態例でも媒体切断部７０７を駆動するストロークを二段階に設けてあり、第６実施の形態例と同様に動作する。
ここでも同様に印字部１０４と排出ローラ１０９との駆動は分かれていて、それぞれ独立して動作する。
発行指示を受けた図示せぬ制御部１１０は、媒体１０３が収納された収納部１０２から媒体１０３を印字部１０４に搬送する。発行指示に従った内容の印字をサーマルヘッド１０６にエネルギーを印加することにより、媒体１０３上に発色させる。
【００４８】
その後、指定された長さだけ先ず媒体切断部７０７へ搬送し、図示せぬ第１のソレノイドを駆動することで図１４に示す切り込み５２１をいれ、更に指定された長さまで媒体切断部７０７に搬送し、図示せぬ第２のソレノイドを駆動することで媒体１０３を切断する。このとき、媒体１０３に切れ込みを入れる長さや切断する長さは発行するものによってあらかじめ定められた範囲内の数種類の長さに任意に設定できる。
【００４９】
以下の動作は他の実施の形態例と同様である。
以上のように、第７実施の形態例によれば、通常の切断部とミシン目切断部を一体にすることで、ミシン目付きの発行媒体も同一の端末で発行でき汎用性に優れた端末を小型省スペースかつ、低コストで提供できる。
また、第１〜４実施の形態例のいずれかと組み合わせることにより、連続発行の際にもジャムの発生しない安定した発行媒体の集積が可能になる。
【００５０】
さらに発行処理の順序を変えることなく一定の順番で集積できるため、媒体処理装置のオベレータが発行処理の正常処理確認のため順番を並べ替える必要がなく、操作性に優れた端末を提供できる。
なお、上記の各実施の形態例では往復運動する刃で説明を行ったが、円形のロータリー刃でもまったく同様に実施することができる。
【００５１】
さらに、上記各実施の形態例における印字装置はサーマルプリンタで説明を行ったが、必ずしもサーマルプリンタに限るものではなく、その他の印字装置でも無論よい。
【００５２】
以上詳細に説明したように、媒体を切断する切断部を有し、該切断部において、媒体を上位より指示された任意の長さに切断し、印字など所定の処理を加えて発行媒体を発行する媒体処理装置において、切断され発行媒体となった媒体の後端を持ち上げ支持する持ち上げ支持手段を設けたので、連続発行の際にもジャムの発生しない安定した発行媒体の集積が可能になるという効果がある。
【００５３】
また、発行処理の順序を変えることなく一定の順番で集積できるため、媒体処理装置のオペレータが発行処理の正常処理確認のため順番を並べ替える必要がなく、操作性に優れた端末を提供できるという効果がある。
また、切断部において、切断部の媒体搬送方向の手前に、媒体の幅方向の一部を残し切断する第２の刃を有する第２の切断部を設けたので、もぎり易いミシン目付きの発行媒体も同一の端末で発行でき汎用性に優れた端末を提供できるという効果がある。
【符号の説明】
【００５４】
１０１  装置
１０２  媒体収納部
１０３  媒体
１０４  印字部
１０５  プラテンローラ
１０６  サーマルヘッド
１０７  媒体切断部
１０８  媒体集積部
１０９  排出ローラ
１１１  突起
２１１  媒体ガイド
２１２  突起
３１２  媒体押し板
４１２  突起
５０７  媒体切断部
５２０  発行媒体
５２１  切り込み
６０７  媒体切断部
６０７ｇ  媒体切断部
６０７Ｇ  媒体切断部
７０７  媒体切断部
【図１】
2010052133.tif 000003
【図２】
2010052133.tif 000004
【図３】
2010052133.tif 000005
【図４】
2010052133.tif 000006
【図５】
2010052133.tif 000007
【図６】
2010052133.tif 000008
【図７】
2010052133.tif 000009
【図８】
2010052133.tif 000010
【図９】
2010052133.tif 000011
【図１０】
2010052133.tif 000012
【図１１】
2010052133.tif 000013
【図１２】
2010052133.tif 000014
【図１３】
2010052133.tif 000015
【図１４】
2010052133.tif 000016
【図１５】
2010052133.tif 000017
【図１６】
2010052133.tif 000018
【図１７】
2010052133.tif 000019
【図１８】
2010052133.tif 000020
【図１９】
2010052133.tif 000021
【図２０】
2010052133.tif 000022
【図２１】
2010052133.tif 000023
【図２２】
2010052133.tif 000024